(57)【特許請求の範囲】
【請求項１】
通信リンクのハードハンドオーバを制御する方法であって、
移動局が、第１基地局に対応する第１地域から第２基地局に対応する第２地域に移動するとき、逆方向リンク同期式転送に関する情報を、制御局から前記第１基地局及び前記第２基地局に転送するステップであって、前記逆方向リンク同期式転送に関する情報は、無線リンク再設定準備メッセージと物理的チャンネル再設定メッセージとのうちの少なくとも１つを含む、ステップと、
前記逆方向リンク同期式転送に関する情報により、前記移動局と前記第２基地局との間に無線リンクを再設定するステップと、
その後に、前記移動局が、逆方向リンク同期転送タイミングを、前記第２基地局の逆方向リンク同期転送タイミングにマッチングさせるために調整するステップと
を含む、方法。
【請求項２】
前記無線リンク再設定準備メッセージが、逆方向リンク同期式転送方式（ＵＳＴＳ）識別子を含む、請求項１に記載の方法。
【請求項３】
前記無線リンク再設定準備メッセージが、逆方向リンク同期式転送方式のスクランブルコードを含む、請求項１に記載の方法。
【請求項４】
前記無線リンク再設定準備メッセージが、逆方向リンク同期式転送方式のチャンネル化コード番号を含む、請求項１に記載の方法。
【請求項５】
前記制御局が、逆方向リンク同期式転送に関する情報を転送する前に、前記第２基地局に、前記逆方向リンク同期転送タイミングを測定するための専用測定開始要求を転送するステップをさらに含む、請求項１に記載の方法。
【請求項６】
測定制御命令は測定タイプと報告特性要素を含む、請求項５に記載の方法。
【請求項７】
前記無線リンクを再設定するステップにおいて、前記移動局と前記第２基地局との逆方向リンク同期式転送方式のモードが同期モードから非同期モードに転換されるのと同時に、前記移動局と前記第１基地局との逆方向リンク同期式転送方式のモードが非同期モードから同期モードに転換される、請求項１に記載の方法。
【請求項８】
通信リンクのハードハンドオーバを制御する方法であって、前記通信リンクは、移動局と、第１基地局および第２基地局のそれぞれとの間に提供され、前記第１基地局は第１制御局によって制御され、第２基地局は第２制御局によって制御され、前記第１基地局と前記第２基地局とは互いに異なり、前記方法は、
前記移動局が、前記第１基地局に対応する第１地域から前記第２基地局に対応する第２地域に移動するとき、前記第１制御局から前記第２制御局に逆方向リンク同期式転送に関する情報を転送するステップであって、前記逆方向リンク同期式転送に関する情報は、無線リンク再設定準備メッセージと物理的チャンネル再設定メッセージとのうちの少なくとも１つを含む、ステップと、
前記第１制御局から前記第２制御局に転送された前記逆方向リンク同期式転送に関する情報に基づいて、前記第２基地局と移動局との間の無線リンクを再設定するステップと、
その後、前記移動局の逆方向リンク同期転送タイミングを、前記第２基地局の逆方向リンク同期転送タイミングにマッチングさせるために調整するステップと、
を含む、方法。
【請求項９】
前記無線リンク再設定準備メッセージが、逆方向リンク同期式転送方式（ＵＳＴＳ）識別子を含む、請求項８に記載の方法。
【請求項１０】
前記無線リンク再設定準備メッセージが、逆方向リンク同期式転送方式のスクランブルコードを含む、請求項８に記載の方法。
【請求項１１】
前記無線リンク再設定準備メッセージが、逆方向リンク同期式転送方式のチャンネル化コード番号を含む、請求項８に記載の方法。
【請求項１２】
移動局において逆方向リンク同期式転送方式の逆方向リンク同期転送タイミングを変更して通信リンクのハードハンドオーバを制御する方法であって、
第１基地局に対応する第１地域から第２基地局に対応する第２地域に移動するときに、前記第１基地局からの第１パイロット信号を監視するステップと、
前記第１パイロット信号に関する通信データを前記第１基地局に転送するステップと、
前記第２基地局からの第２パイロット信号を監視するステップと、
前記第２パイロット信号に関する通信データを前記第２基地局に転送するステップと、
逆方向リンク同期転送タイミング情報を受信するステップと、
前記第２基地局からの前記第２パイロット信号に基づいて前記第２基地局との間の無線リンクが設定されると、前記受信された逆方向リンク同期転送タイミング情報に基づいて、前記逆方向リンク同期式転送方式に関する逆方向リンク同期転送タイミングを、前記第２基地局の逆方向リンク同期転送タイミングに変更するステップと
を含む、方法。
【請求項１３】
前記第２基地局への前記通信データの転送は、前記監視された前記第２パイロット信号の強度が予め設定された基準値を超過する時に実行される、請求項１２に記載の方法。
【請求項１４】
前記逆方向リンク同期転送タイミングの変更は、前記第１基地局と前記移動局との間、または前記第２基地局と前記移動局との間の無線リンクの品質に基づいて行なわれる、請求項１２に記載の方法。
【請求項１５】
前記逆方向リンク同期転送タイミングの変更が、前記第２基地局と前記移動局との間の無線リンクの品質が前記第１基地局と前記移動局との間の無線リンクの品質よりも優れている場合において、行われる、請求項１４に記載の方法。
【請求項１６】
前記逆方向リンク同期転送タイミングの変更は、前記第１基地局または前記第２基地局のいずれか１つにリンクされた前記移動局の数に基づいて行われる、請求項１２に記載の方法。
【請求項１７】
前記逆方向リンク同期転送タイミングの変更は、前記第２基地局にリンクされた前記移動局の数と前記第１基地局にリンクされた前記移動局の数とを比較することによって、行われる、請求項１６に記載の方法。
【請求項１８】
通信リンクのハードハンドオーバを制御する方法であって、
端末機と目標基地局との間の第１通信特性を測定するステップと、
現在基地局と前記端末機との間の第２通信特性を測定するステップと、
前記端末機と前記目標基地局との間に、前記測定された前記第１通信特性および前記測定された前記第２通信特性に基づいて、逆方向リンク同期式の通信を設定するかを決定するステップと、
前記端末機と前記目標基地局との間に逆方向リンク同期式の通信を設定するステップであって、前記逆方向リンク同期式の通信は、前記測定された第１通信特性に基づいて設定される、ステップと、
前記逆方向リンク同期式の通信を利用して、前記端末機と通信している基地局を前記現在基地局から前記目標基地局へ変更するステップと
を含む、方法。
【請求項１９】
前記第１通信特性は、
（ｉ）前記端末機と前記目標基地局との間の無線リンクの品質と、
（ｉｉ）前記目標基地局とデータ通信している端末機の数と
のうちの少なくとも１つである、請求項１８に記載の方法。
【請求項２０】
前記第２通信特性は、
（ｉ）前記端末機と前記現在基地局との間の無線リンクの品質と、
（ｉｉ）前記現在基地局とデータ通信している端末機の数と
のうちの少なくとも１つである、請求項１８に記載の方法。
【請求項２１】
前記逆方向リンク同期式通信を設定するステップは、
前記目標基地局および前記端末機の間の逆方向リンク同期式通信に関する通信チャンネルを活性化するステップと、
前記タイミング調整値に基づいて前記端末機を前記逆方向リンク同期式通信と同期化するステップと、
前記目標基地局および前記端末機の間の通信モードを非同期式モードから同期式モードに変更するステップと、
前記現在基地局および前記端末機の間の通信モードを同期式モードから非同期式モードに変更するステップと
を含む、請求項１８に記載の方法。
【請求項２２】
前記第１通信特性を測定する前に、ソフトハンドオーバ手続を通じて前記端末機および前記目標基地局間の通信チャンネルを設定するステップと、
前記通信サービスを支援する基地局の変更以降に、前記端末機および前記現在基地局間の通信チャンネルを解除するステップと
をさらに含む、請求項１８に記載の方法。
【請求項２３】
前記現在基地局を制御するソースネットワーク制御機から前記目標基地局を制御する目標ネットワーク制御機へ、前記第１通信特性の測定を始めるための要求を通信するステップをさらに含む、請求項１８に記載の方法。
【請求項２４】
通信リンクのハードハンドオーバを制御するシステムであって、
目標基地局および現在基地局と通信する端末機であって、前記端末機と、前記目標基地局と前記現在基地局とのうちの少なくとも１つとの間の通信特性を測定する端末機と、
前記現在基地局および前記目標基地局を制御して、前記通信特性に基づいて前記端末機と前記目標基地局との間に逆方向リンク同期式通信を設定し、前記逆方向リンク同期式通信を利用して、前記端末機と通信している基地局を前記現在基地局から前記目標基地局へ変更し、前記目標基地局と前記端末機との間の通信モードを非同期式モードから同期式モードへ変更し、前記現在基地局と前記端末機との間の通信モードを同期式モードから非同期式モードへ変更することにより、逆方向リンク同期式通信を設定する、ネットワーク制御機と
を備える、システム。
【請求項２５】
前記通信特性は、
（ｉ）前記端末機と前記目標基地局との間の無線リンクの品質と、
（ｉｉ）前記端末機と前記現在基地局との間の無線リンクの品質と、
（ｉｉｉ）前記目標基地局とデータ通信している端末機の数と
（ｉｖ）前記現在基地局とデータ通信している端末機の数と
のうちの少なくとも１つである、請求項２４に記載のシステム。
【請求項２６】
通信リンクのハードハンドオーバを制御する方法であって、
移動端末機と目標基地局との間の通信特性を測定するステップと、
前記移動端末機および前記目標基地局の間に逆方向リンク同期式通信を、前記通信特性に基づいて設定するステップと、
前記目標基地局と前記移動端末機との間の通信モードを非同期式モードから同期式モードへ変更し、前記現在基地局と前記移動端末機との間の通信モードを同期式モードから非同期式モードへ変更するステップと、
前記逆方向リンク同期式通信を利用して、前記移動端末機と通信している基地局を前記現在基地局から前記目標基地局へ変更するステップと
を含む、方法。
【請求項２７】
前記逆方向リンク同期式通信を設定するステップが、
前記目標基地局と前記移動端末機との間の前記同期式通信リンクに関する通信チャンネルを活性化するステップと、
前記タイミング調整値に基づいて前記移動端末機を前記逆方向リンク同期式通信と同期化するステップと
を含む、請求項２６に記載の方法。
【請求項２８】
前記通信特性は、
（ｉ）前記移動端末機と前記目標基地局との間の無線リンクの品質と、
（ｉｉ）前記目標基地局とデータ通信している移動端末機の数と
のうちの少なくとも１つである、請求項２６に記載の方法。
【発明の詳細な説明】
【０００１】
【発明の属する技術分野】
本発明は移動通信システムに関し、特に基地局における移動局信号間の受信時点を同期化させる逆方向リンク転送方式において、ソフトハンドオーバとハードハンドオーバを結合したハンドオーバ制御方法に関する。
【０００２】
より詳しくは、本発明は移動通信システムに適用される逆方向リンク同期式転送方式における移動局の転送信号タイミングを制御するもので、移動局が既存基地局から目標基地局に移動する場合、既存のインターフェースプロトコルを利用して逆方向リンク同期式転送方式のモードを転換できるハンドオーバ制御方法に関する。
【０００３】
【従来の技術】
一般に、逆方向同期式転送方式（ＵＳＴＳ：Ｕｐｌｉｎｋ  Ｓｙｎｃｈｒｏｎｏｕｓ  Ｔｒａｎｓｍｉｓｓｉｏｎ  Ｓｃｈｅｍｅ、以下、ＵＳＴＳという）は、基地局において閉ループタイミング制御方式にて移動局信号の受信時点を制御して、直交符号の直交性を利用してセル内の多重接続干渉を低減するためのものである。
【０００４】
従来のソフトハンドオーバ方式は、セル間でハンドオーバする間に移動局（使用者端末機／移動端末機）が多数個の基地局と同時に通信しながら通話チャンネルを持続的に維持できる技術である。ここで、前記ソフトハンドオーバ方式は、セクター間でハンドオーバするソフトハンドオーバ方式にそのまま適用されることができる。
【０００５】
前記ハンドオーバは、目標基地局との通話チャンネルを連結する前に既存基地局との通話チャンネルを終了するハードハンドオーバと、目標基地局との通話チャンネルを連結した後に既存基地局との通話チャンネルを終了するソフトハンドオーバと、ソフトハンドオーバの中で少なくとも一つ以上のセクターに分割される同じ基地局でセクター間にハンドオーバがなされるソフタハンドオーバとに区分される。ここで、前記ソフトハンドオーバはハンドオーバ時に通話チャンネルが途切れなくて持続的に維持され、一定期間の間にハンドオーバに関与する２つの基地局と同時に同じ通話チャンネルに対する二重連結が発生できる。反面に、前記ハードハンドオーバは現在の通話チャンネルを終了した後に新しい通話チャンネルを連結できるので、通話の不連続が発生することになる。
【０００６】
図１は従来の逆方向リンクにおける２個の基地局間のハンドオーバを説明するための移動通信システムの概略構成図である。図１を参照すれば、前記移動通信システムは受信された無線フレームを基に最適のフレームを選択する基地局制御機１０１と、移動局１０２と、少なくとも一つ以上の基地局１０３、１０４とを含んでなることができる。前記基地局制御機１０１は最適の無線フレームを選択する選択器１０１ａを備えることができる。
【０００７】
前記移動通信システムでハンドオーバがなされる場合、すなわち前記移動局１０２が第１基地局１０３のセル領域から第２基地局１０４のセル領域に移動する場合、逆方向リンクで前記移動局１０２の転送信号は前記第１基地局１０３及び前記第２基地局１０４で同時に受信される。
【０００８】
前記第１基地局１０３及び前記第２基地局１０４は前記移動局１０２から受信された前記移動局の転送信号を復調し、各々復調された前記転送信号は無線フレーム形態で前記基地局制御機１０１に転送される。すると、前記基地局制御機１０１はそれぞれの転送信号を基に最適の転送信号を選択できる。したがって、前記基地局制御機１０１は前記最適の転送信号に応じる基地局の通話チャンネルを通じて前記移動局１０２と連結されることができる。
【０００９】
一方、ソフタハンドオーバ（ｓｏｆｔ  ｈａｎｄｏｖｅｒ）では、移動局１０２が同じセル領域内の一つのセクターから他のセクターに移動する場合、前記で説明した前記ソフトハンドオーバと同じ動作でハンドオーバ制御を行うことになる。すなわち、前記ソフタハンドオーバの場合、  前記移動局１０２から受信された２個の信号は前記第１基地局１０３または前記第２基地局１０４で復調された後、何れかの移動局転送信号が前記基地局制御機１０１に転送されることができる。
【００１０】
図２は従来の少なくとも２個以上の基地局を制御する制御局でソフトハンドオーバがなされる場合の移動通信システムの構成図である。図２を参照すれば、前記移動通信システムは図１の詳細構成図であって、コアネットワーク２０１と移動局２２０との間にＵＭＴＳ無線接続ネットワーク（以下、無線接続ネットワークという）２１０が連結している。前記無線接続ネットワーク２１０は従来の制御局に対するより包括的な用語であって、サービング制御局（ＳＲＮＣ：  Ｓｅｒｖｉｎｇ  ＲＮＣ）２１１と前記サービング制御局２１１に連結する少なくとも一つ以上の基地局２１２、２１３とを含んでなることができる。
【００１１】
前記サービング制御局２１１は前記移動局２２０に割り当てられた専用無線資源（Ｄｅｄｉｃａｔｅ  Ｒａｄｉｏ  Ｒｅｓｏｕｒｃｅｓ）を管理する。このとき、前記移動局２２０が前記サービング制御局２１１内の既存基地局２１２から目標基地局２１３に移動する場合、前記既存基地局２１２及び前記目標基地局２１３は前記移動局２２０から受信された転送信号を各々復調し、各々復調された前記転送信号を無線フレーム形態で前記サービング制御局２１１に転送する。前記サービング制御局２１１は各々受信された前記転送信号を基に最適の転送信号を選択することで、前記移動局２２０が前記既存基地局２１２のセル領域と前記目標基地局２１３のセル領域とが重なる領域でも二つの基地局２１２、２１３と同時に通話チャンネルを連結して通話を持続的に維持できる。
【００１２】
図３は従来の少なくとも２個以上の基地局を制御する制御局が互いに異なる時にソフトハンドオーバがなされる場合の移動通信システムの構成図である。図３を参照すれば、前記移動通信システムは図２と類似な構造であるが、無線接続ネットワーク３１０にサービング制御局３１６の外に目的地制御局（ＤＲＮＣ：Ｄｒｉｆｔ  ＲＮＣ）３１２がさらに含まれるのに留意すべきである。また、前記移動通信システムは移動局２２０から受信される転送信号を制御する制御局３１２、３１６が互いに異なるのにも留意すべきである。前記サービング制御局３１６及び前記目的地制御局３１２は各々制御できる少なくとも一つ以上の基地局３１３、３１７が存在できる。図３は前記サービング制御局３１６の制御を受ける既存基地局３１７のセル領域から前記目的地制御局３１２の制御を受ける目標基地局３１３のセル領域にハンドオーバがなされる場合を説明するためのものである。したがって、前記移動局２２０が前記既存基地局３１７のセル領域から前記目標基地局３１３のセル領域に移動する場合、前記サービング制御局３１６と前記目的地制御局３１２との間の通信により、前記移動局２２０はそれぞれの基地局３１３、３１７と同時に通話チャンネルを維持できる。ここで、前記サービング制御局３１６は前記移動局２２０に割り当てられた専用無線資源を管理し、前記目的地制御局３１２は前記移動局２２０が前記第１基地局３１７のセル領域から外れて前記第２基地局３１３のセル領域に移動する場合、前記移動局２２０に無線資源を提供できる。
【００１３】
図４は従来のソフトハンドオーバがなされる場合、ハンドオーバ制御方法を説明するための順序図である。図４を参照すれば、ここで、説明しようとするハンドオーバ制御方法は、図１で移動局１０２が既存基地局１０３から目標基地局１０４に移動する時のハンドオーバを制御する方法に関するものである。また、前記ハンドオーバ制御方法はそれぞれの基地局を制御する制御局が同一または相違な場合とも適用できる。
【００１４】
まず、移動局が既存基地局のセル領域に存在する場合、前記移動局は前記既存基地局を通じてだけ通話チャンネルが連結している状態であるが、前記移動局が前記既存基地局のセル領域と目標基地局のセル領域とが重なる領域に進入してハンドオーバがなされれば（段階４０１）、前記移動局は前記基地局だけでなく前記目標基地局とも通話チャンネルが連結する。
【００１５】
既に説明した通り、一般に、移動局は随時少なくとも一つの基地局から受信されるパイロットの強さを測定して測定の結果を基地局を通じて制御局に転送する。すると、前記制御局は受信された少なくとも一つの基地局に対するパイロット測定値を基に最適のパイロットの強さを選択する。そして、前記制御局は前記移動局に前記最適のパイロットの強さが測定された基地局と通話チャンネルを連結するようにする。したがって、前記移動局は前記既存基地局のパイロットの強さと前記目標基地局のパイロットの強さとを各々測定し（段階４０３）、特に目標基地局から測定されたパイロットの強さが予め設定されたパイロット基準値を越えているかを判断する。もし測定されたパイロットの強さがパイロット基準値を越えれば、前記移動局は前記既存基地局及び前記目標基地局の測定結果の各々を前記制御局に転送すると同時に、前記目標基地局をハンドオーバ候補目録に載せる（段階４０５）。
【００１６】
前記制御局は前記既存基地局及び前記目標基地局に対するパイロットの強さに対する測定結果を基に前記ハンドオーバ制御の可否を判断する。判断の結果、前記目標基地局のパイロットの強さが充分であれば、前記制御局は第１ハンドオーバメッセージを前記移動局に転送して前記目標基地局との通話チャンネル設定を行う。すなわち、前記制御局が前記第１ハンドオーバメッセージを前記移動局に転送すれば、前記移動局は前記第１ハンドオーバメッセージを基に前記目標基地局と新しいトラフィックチャンネルを通じて通話を開始する。ここで、前記第１ハンドオーバメッセージは前記目標基地局のＰＮオフセット（ｏｆｆｓｅｔ）と新しく割り当てられたウオルシュコード（Ｗａｌｓｈ  Ｃｏｄｅ）を含む。したがって、前記移動局は前記目標基地局を候補目録から実際通話目録に変更し、前記第１ハンドオーバメッセージで規定された順方向トラフィックチャンネルの同期を獲得した後、ハンドオーバ完了メッセージを前記制御局に転送する。したがって、現在前記移動局と実際通話中の基地局は前記既存基地局と前記目標基地局ともになる（段階４０７、段階４０９）。
【００１７】
これまでの説明は、前記移動局が前記目標基地局のセル領域に進入した時、前記制御局の第１ハンドオーバメッセージにより前記移動局と前記目標基地局との間に通話チャンネルが形成されるということである。
【００１８】
一方、前記移動局は前記既存基地局及び前記目標基地局のパイロットの強さを随時測定し（段階４１１）、特に前記既存基地局のパイロットの強さが充分であるかを判断する（段階４１３）。すなわち、前記移動局は前記既存基地局のパイロットの強さがパイロット抽出基準値の以下になるかを判断する。そして、前記移動局は前記既存基地局のパイロットの強さがパイロット抽出基準値の以下となる瞬間から抽出時間を測定し始める。もし抽出時間が予め設定された  限界値に達すれば、前記移動局はパイロットの強さの測定メッセージを前記制御局に転送する。これにより、前記移動局は前記制御局から第２ハンドオーバメッセージを受信する（段階４１５）。
【００１９】
前記移動局は受信された前記第２ハンドオーバメッセージを基に、前記既存基地局を実際通話目録で削除し、ハンドオーバ終了メッセージを前記制御局に転送する（段階４１７）。ここで、前記第２ハンドオーバメッセージは前記目標基地局に対するＰＮ  オフセットのみを含み、前記既存基地局に対するＰＮオフセットは含まない。
【００２０】
これまでの説明は、前記既存基地局のパイロットの強さがパイロット抽出基準値の以下となる場合、前記既存基地局の通話チャンネルを解除する方法に関することである。
【００２１】
図５は従来のソフトハンドオーバがなされる場合、各装置のプロトコル間のデータのフローを示すフローチャートである。図５を参照すれば、前記データのフローは少なくとも一つ以上の基地局を制御する制御局が互いに異なる場合を示しているが、これは前記少なくとも一つ以上の基地局を制御する制御局が同じ場合にも適用される。図５のデータのフローに対する説明は、図３を付加的に参照したらより明確に理解できる。
【００２２】
図５を参照すれば、前記データのフローは無線リンク追加手順（段階４２０）と無線リンク削除手順（段階４３３）に区分され、各手順（段階４２０、段階４３３）の細部的な説明は下記の通りである。ここで、前記段階４２０はハンドオーバがなされる場合、目標基地局３２７と移動局３２９との間に無線リンクによる通話チャンネルを設定するものであり、前記段階４３３は既に設定されている既存基地局（ＳＲＮＳ−基地局）３２５と前記移動局３２９との間に設定された無線リンクを解除して通話チャンネルを断絶させるものである。
【００２３】
まず、前記段階４２０を説明すれば、移動局３２９がハンドオーバ領域に進入すれば、前記サービング制御局（ＳＲＮＣ）３２１は前記移動局３２９と目標基地局（ＤＲＮＳ−基地局）３２７との間に新しいリンクを設定するかを決定する（段階４１９）。ここで、前記ハンドオーバ領域は既に説明した通り、既存基地局３２５のセル領域と前記目標基地局３２７のセル領域とが重なる領域を意味する。もちろん、前記段階４１９を遂行する前に、前記サービング制御局３２１は前記既存基地局３２５及び前記目標基地局３２７の各々に対するパイロットの強さに対する測定結果値を受信された状態であらなければならない。したがって、前記サービング制御局３２１は前記測定結果値を基に新しいリンク設定に対する決定を行うことができる。
【００２４】
決定の結果、前記目標基地局３２７と前記移動局３２９との間に新しいリンク設定が必要な場合、前記サービング制御局３２１は制御局間インターフェースプロトコルのＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）を利用して無線リンクセットアップ要求（Ｒａｄｉｏ  Ｌｉｎｋ  Ｓｅｔｕｐ  Ｒｅｑｕｅｓｔ）メッセージを目的地制御局（ＤＲＮＣ）３２３に転送する（段階４２１）。ここで、前記無線リンクセットアップ要求メッセージは新しい無線リンク設定に対する命令を含んでいる。前記目的地制御局３２３は基地局と制御局間インターフェースプロトコルのＮＢＡＰ（Ｎｏｄｅ  Ｂ  Ａｐｐｌｉｃａｔｉｏｎ  Ｐａｒｔ、ここでＮｏｄｅ  Ｂは基地局である）を利用して前記無線リンクセットアップ要求メッセージを前記目標基地局３２７に転送する（段階４２３）。
【００２５】
前記目標基地局３２７は前記無線リンクセットアップ要求メッセージを基に前記移動局３２９との無線リンクを成功的に設定した後、前記ＮＢＡＰプロトコルを利用して無線リンクセットアップ応答（Ｒａｄｉｏ  Ｌｉｎｋ  Ｓｅｔｕｐ  Ｒｅｓｐｏｎｓｅ）メッセージを前記目的地制御局３２３に転送する（段階４２５）。ここで、前記無線リンクセットアップ応答メッセージは前記移動局３２９と前記目標基地局３２７との間に無線リンクが成功的に設定されたという報告結果を含む。前記目的地制御局３２３は前記サービング制御局３２１にＲＮＳＡＰプロトコルを利用して前記無線リンクセットアップ応答メッセージを転送する（段階４２７）。
【００２６】
以後、前記サービング制御局３２１は前記移動局と制御局間インターフェースプロトコルであるＲＲＣ（Ｒａｄｉｏ  Ｒｅｓｏｕｒｃｅ  Ｃｏｎｔｒｏｌ）を利用して活性集合更新命令（Ａｃｔｉｖｅ  Ｓｅｔ  Ｕｐｄａｔｅ  Ｃｏｍｍａｎｄ）メッセージを前記移動局３２９に転送する。すると、前記移動局３２９は前記活性集合更新命令を基に活性集合に前記目標基地局３２７を追加できる（段階４２９）。ここで、活性集合とは同じ順方向トラフィックチャンネルを通じて移動局と通信している基地局の集合を意味する。
【００２７】
活性集合に前記目標基地局を追加した前記移動局３２９は、ＲＲＣプロトコルを利用して活性集合更新完了（Ａｃｔｉｖｅ  Ｓｅｔ  Ｕｐｄａｔｅ  Ｃｏｍｐｌｅｔｅ）メッセージを前記サービング制御局３２１に転送する（段階４３１）。
【００２８】
次に、前記段階４３３を説明すれば、前記移動局３２９がハンドオーバ領域から外れて完全に前記目標基地局３２７のセル領域に進入すれば、前記サービング制御局３２１は既存に設定された無線リンクを除去するかを決定する（段階４３５）。ここで、既存に設定された無線リンクは前記既存基地局３２５と前記移動局３２９との間に設定された通話チャンネルを意味する。もちろん、前記段階４３３を遂行する前に前記移動局３２９から測定された前記既存基地局３２５に対するパイロットの強さの測定値が前記サービング制御局３２１に転送しなければならない。したがって、前記サービング制御局３２１は前記既存基地局３２５に対する測定値を基に前記既存基地局３２５に設定された無線リンクの除去の可否を決定できる。
【００２９】
決定の結果、前記既存基地局３２５に設定された無線リンクを除去する場合、前記サービング制御局３２１はＲＲＣプロトコルを利用して活性集合更新命令を前記移動局３２９に転送する（段階４３７）。
【００３０】
前記移動局３２９は前記サービング制御局３２１から受信された活性集合更新命令を基に前記既存基地局３２５に設定された無線リンクを活性集合で削除し、ＲＲＣプロトコルを利用して活性集合更新完了メッセージを前記サービング制御局３２１に転送する（段階４３９）。
【００３１】
前記サービング制御局３２１はＮＢＡＰプロトコルを利用して無線リンク除去要求（Ｒａｄｉｏ  Ｌｉｎｋ  Ｄｅｌｅｔｉｏｎ  Ｒｅｑｕｅｓｔ）メッセージを前記既存基地局３２５に転送する（段階４４１）。すると、前記既存基地局３２５は前記無線リンク除去要求メッセージを基に前記既存基地局３２５と前記移動局３２９との間の無線リンクを解除し、ＮＢＡＰプロトコルを利用して無線リンク除去応答（Ｒａｄｉｏ  Ｌｉｎｋ  Ｄｅｌｅｔｉｏｎ  Ｒｅｓｐｏｎｓｅ）メッセージを前記サービング制御局３２１に転送する（段階４４３）。
【００３２】
既に言及した通り、少なくとも一つ以上の基地局を制御する制御局が同じ場合、前記各段階の中で前記段階４２１から前記段階４２７までの手順を除いた残り段階は図５と同様である。すなわち、少なくとも一つ以上の基地局を制御する制御局が同じ場合は前記目的地制御局が存在しなくなるので、前記段階４２１から前記段階４２７で前記サービング制御局の命令は前記目的地制御局を経由することなく直接前記目標基地局に転送できる。
【００３３】
【発明が解決しようとする課題】
以上から調べたように、前記のような従来のハンドオーバ制御方法は、基地局で逆方向リンクの基本的な性能改善のために支援される転送方式、すなわち基地局で移動局信号間の受信時点を同期化させる逆方向リンク同期式転送方式を考慮していない。つまり、基地局で閉ループタイミング制御方式にて移動局信号等の受信時点を制御する転送方式を考慮しなくてハンドオーバを遂行している。
【００３４】
したがって、前記ハンドオーバ制御方法を改善するには、既存のソフトハンドオーバ方式とともに逆方向リンク同期式転送方式に必須な逆方向同期タイミングのハードハンドオーバ方式が追加されるべきである。ここで、前記逆方向同期タイミングのハードハンドオーバは、既存基地局と目標基地局の逆方向同期タイミングが同時になされず、何れかの基地局の同期を選択することになるので、ソフトハンドオーバではないハードハンドオーバになる。もし、前記逆方向同期タイミングのハードハンドオーバを考慮しなければ、移動局がセル間またはセクター間で移動することで、逆方向同期式転送の利得を持続的に維持できず、前記ＵＳＴＳの性能改善、受容容量増加及びセル占有領域増加などの利点を生かせないという短所がある。
【００３５】
結局、従来に提案されたソフトハンドオーバ方式を考慮しながら同期タイミングを制御するハードハンドオーバ方式を追加したハンドオーバ制御方法が要求されている。
【００３６】
本発明は前記のような問題点を解決するためのもので、その目的は、既存の移動通信システムをそのまま利用しながらＵＳＴＳを採択して、ハンドオーバ制御を行うための方法を提供することにある。
【００３７】
他の目的は、既存のソフトハンドオーバ方式にハードハンドオーバ方式を結合して逆方向同期タイミングを変更するためのハンドオーバ制御方法を提供することにある。
【００３８】
また他の目的は、ハンドオーバがなされる場合、各装置間の物理的階層間のデータのフローを定義するためのハンドオーバ制御方法を提供することにある。
【００３９】
【課題を解決するための手段】
前記の目的を達成するために、本発明の好適実施例によれば、逆方向同期式転送に関する情報を前記第１基地局及び前記第２基地局に転送して無線リンクを再設定し、前記再設定された無線リンクを基に、何れかの基地局を基準にして制御される逆方向リンク同期タイミングを他の基地局の逆方向リンク同期タイミングで調整することを含む逆方向リンク同期式転送方式におけるハンドオーバ制御方法が提供される。
【００４０】
前記逆方向リンク同期式転送方式におけるハンドオーバ制御方法によれば、前記逆方向同期式転送に関する情報は逆方向リンク同期式転送方式の識別子、逆方向同期式転送方式のスクランブルコード及び逆方向リンク同期式転送方式のチャンネル化コード番号を含むことができる。
【００４１】
前記逆方向リンク同期式転送方式におけるハンドオーバ制御方法によれば、前記基地局を制御する制御局が互いに異なる場合、何れかの制御局が他の制御局に前記逆方向同期式転送に関する情報を転送して無線リンクを再設定した後、前記何れかの制御局の制御を受ける基地局を基準にして制御される前記移動局の逆方向リンク同期タイミングを前記他の制御局の制御を受ける基地局の逆方向リンク同期タイミングで調整することを含むことができる。
【００４２】
本発明の他の好適実施例によれば、移動局で逆方向同期式転送方式のための基準時間（ｂａｓｅ  ｔｉｍｅ）変更方法が同じ信号の通信データを一つの移動局から同時に受信する第１基地局及び第２基地局を備えた移動通信システムにおいて、前記通信データを第１基地局に転送する段階；前記第２基地局から転送されたパイロット信号を確認する段階；前記通信データを前記第２基地局に転送する段階；前記第１及び第２基地局から転送されたパイロット信号を確認する段階；及び、前記逆方向同期式転送方式をのための前記基準時間を前記第２基地局の基準時間に変更する段階を含む。
【００４３】
本発明は、制御局の制御を受ける第１基地局及び第２基地局が、一つの移動局と同時に同じ信号源のトラフィックデータを送受信する移動通信システムにおける、逆方向リンク同期式転送方式におけるハンドオーバ制御方法であって、逆方向同期式転送に関する情報を前記第１基地局及び前記第２基地局に転送する段階；前記逆方向同期式転送に関する情報を基に無線リンクを再設定する段階；及び、前記再設定の無線リンクを基に、何れかの基地局を基準にして制御される逆方向リンク同期タイミングを他の基地局の逆方向リンク同期タイミングで調整する段階；を含むことを特徴とする逆方向リンク同期式転送方式におけるハンドオーバ制御方法であり、これにより上記目的が達成される。
【００４４】
本発明の一つの局面は、前記逆方向同期式転送に関する情報は逆方向リンク同期式転送方式の識別子であることを特徴とする上記に記載の逆方向リンク同期式転送方式におけるハンドオーバ制御方法である。
【００４５】
本発明の一つの局面は、前記逆方向同期式転送に関する情報は逆方向リンク同期式転送方式のスクランブルコードであることを特徴とする上記に記載の逆方向リンク同期式転送方式におけるハンドオーバ制御方法である。
【００４６】
本発明の一つの局面は、前記逆方向同期式転送に関する情報は逆方向リンク同期式転送方式のチャンネル化コード番号であることを特徴とする上記に記載の逆方向リンク同期式転送方式におけるハンドオーバ制御方法である。
【００４７】
本発明の一つの局面は、前記逆方向リンク同期転送タイミングを測定するための測定制御命令を転送する段階をさらに含むことを特徴とする上記に記載の逆方向リンク同期式転送方式におけるハンドオーバ制御方法である。
【００４８】
本発明の一つの局面は、前記測定制御命令は測定タイプと報告特性要素を含むことを特徴とする上記に記載の逆方向リンク同期式転送方式におけるハンドオーバ制御方法である。
【００４９】
本発明の一つの局面は、前記無線リンクは逆方向リンク同期式転送方式のモードを転換して再設定されることを特徴とする上記に記載の逆方向リンク同期式転送方式におけるハンドオーバ制御方法である。
【００５０】
さらに、本発明は、前記基地局を制御する制御局が互いに異なる場合、何れかの制御局が他の制御局に前記逆方向同期式転送に関する情報を転送する段階；前記何れかの制御局または前記他の制御局から転送された前記逆方向転送に関する情報を基に無線リンクを再設定する段階；及び、前記再設定の無線リンクを基に、前記何れかの制御局の制御を受ける基地局を基準にして制御される前記移動局の逆方向リンク同期タイミングを前記他の制御局の制御を受ける基地局の逆方向リンク同期タイミングで調整する段階；を含むことを特徴とする逆方向リンク同期式転送方式におけるハンドオーバ制御方法であり、これにより上記目的が達成される。
【００５１】
本発明の一つの局面は、前記逆方向同期式転送に関する情報は逆方向リンク同期式転送方式の識別子であることを特徴とする上記に記載の逆方向リンク同期式転送方式におけるハンドオーバ制御方法である。
【００５２】
本発明の一つの局面は、前記逆方向同期式転送に関する情報は逆方向リンク同期式転送方式のスクランブルコードであることを特徴とする上記に記載の逆方向リンク同期式転送方式におけるハンドオーバ制御方法である。
【００５３】
本発明の一つの局面は、前記逆方向同期式転送に関する情報は逆方向リンク同期式転送方式のチャンネル化コード番号であることを特徴とする上記に記載の逆方向リンク同期式転送方式におけるハンドオーバ制御方法である。
【００５４】
さらに、本発明は、同じ信号の通信データを一つの移動局から同時に受信する第１基地局及び第２基地局を備えた移動通信システムにおける、移動局における逆方向同期式転送方式のための基準時間変更方法であって、前記通信データを第１基地局に転送する段階；前記第２基地局から転送されたパイロット信号を確認する段階；前記通信データを前記第２基地局に転送する段階；前記第１及び第２基地局から転送されたパイロット信号を確認する段階；及び、前記逆方向同期式転送方式のための前記基準時間を前記第２基地局の基準時間に変更する段階を含むことを特徴とする移動局における逆方向同期式転送方式のための基準時間変更方法であり、これにより上記目的が達成される。
【００５５】
本発明の一つの局面は、前記通信データを前記第２基地局に転送する段階は、前記第２基地局から転送された前記パイロット信号の強さが予め設定された臨界値を超過する時に実行されることを特徴とする上記に記載の移動局における逆方向同期式転送方式のための基準時間変更方法である。
【００５６】
本発明の一つの局面は、前記逆方向同期式転送方式のための前記基準時間を前記第２基地局の基準時間に変更する段階は、前記基地局と前記移動局との間の無線リンクの品質によって完了されることを特徴とする上記に記載の移動局における逆方向同期式転送方式のための基準時間変更方法である。
【００５７】
本発明の一つの局面は、前記無線リンクは前記第２基地局と前記移動局に形成されたリンクであることを特徴とする上記に記載の移動局における逆方向同期式転送方式のための基準時間変更方法である。
【００５８】
本発明の一つの局面は、前記逆方向同期式転送方式のための前記基準時間を前記第２基地局の基準時間に変更する段階は、前記基地局に連結した前記移動局の数によって行われることを特徴とする上記に記載の移動局における逆方向同期式転送方式のための基準時間変更方法である。
【００５９】
本発明の一つの局面は、前記逆方向同期式転送方式のための前記基準時間を前記第２基地局の基準時間に変更する段階は、前記基地局に連結した前記移動局の数と前記第１基地局に連結した前記移動局の数とを互いに比較した後に行われることを特徴とする上記に記載の移動局における逆方向同期式転送方式のための基準時間変更方法である。
【００６０】
【発明の実施の形態】
以下、本発明を添付図面に基づいて詳細に説明する。
【００６１】
図６は本発明の好適実施例によるソフトハンドオーバがなされる場合、移動局信号タイミングを制御する方法を説明するための順序図である。図６を参照すれば、前記方法はソフトハンドオーバに逆方向で移動局の転送信号を制御するハードハンドオーバを結合したハンドオーバ制御方法に関するものである。また、前記方法はそれぞれの基地局を制御する制御局が同一または相違な場合  とも適用できる。ここで、前記方法は無線リンクを設定したり前記無線リンクを解除したりすることは図４の従来のハンドオーバ制御方法と同一であり、ハードハンドオーバ方法だけが異なるので、下記では前記ハードハンドオーバ制御方法を中心にして説明する。
【００６２】
まず、移動局が既存基地局のセル領域に存在する場合、前記移動局は前記基地局を通じてだけ通話チャンネルが連結している状態であるが、前記移動局が前記既存基地局のセル領域と目標基地局のセル領域とが重なる領域に進入してハンドオーバがなされれば（段階４５１）、前記移動局は既存基地局のパイロットの強さだけでなく目標基地局のパイロットの強さも測定する（段階４５３）。また、前記移動局は前記目標基地局のパイロットの強さが予め設定されたパイロット基準値を越えているかを判断し（段階４５５）、判断結果によって前記既存基地局及び前記目標基地局の測定結果の各々を前記制御局に転送すると同時に前記目標基地局をハンドオーバ候補目録に載せる。一方、目標基地局は前記制御局から第１ハンドオーバメッセージを受信し（段階４５７）、前記第１ハンドオーバメッセージを基に前記移動局との通話チャンネルを設定する（段階４５９）。したがって、前記段階４５１から前記段階４５９までは既に図４の従来のハンドオーバ制御方法と同様なので、その詳細な説明は省略する。したがって、現在前記移動局と実際通話中の基地局は前記既存基地局と前記目標基地局ともになる。すなわち、前記既存基地局はＵＳＴＳモードで設定され、前記目標基地局は新しくＮＯＮ−ＵＳＴＳモードで設定される。したがって、逆方向リンク同期式転送方式において、前記既存基地局はＵＳＴＳモードで前記移動局の転送信号間のタイミングが維持され、前記目標基地局はＮＯＮ−ＵＳＴＳモードで前記転送信号間のタイミングが設定される。このとき、前記移動局と前記既存基地局との間または前記移動局と前記目標基地局との間には無線リンクが設定されている。
【００６３】
一方、制御局は移動局から転送された各基地局に設定された無線リンク品質を比較し、比較結果を基に前記目標基地局でタイミング調整（Ｔｉｍｉｎｇ  Ａｄｊｕｓｔｍｅｎｔ）及び再設定（Ｒｅｃｏｎｆｉｇｕｒａｔｉｏｎ）を行うかを判断する（段階  ４６１）。ここで、前記判断はリンク品質及び移動局数を利用してなされる。すなわち、前記リンク品質を利用する場合、  前記制御局は逆方向リンクで前記既存基地局のリンク品質と前記目標基地局のリンク品質とを比較する。もし、前記目標基地局のリンク品質が前記既存基地局のリンク品質より優秀であれば、前記制御局はハンドオーバ制御命令を前記移動局及び前記目標基地局に各々転送する。前記移動局数を利用する場合、前記制御局は前記既存基地局に逆方向同期式転送を行っている移動局の数と前記目標基地局に逆方向同期式転送を行っている移動局の数とを比較する。もし、前記目標基地局に逆方向同期式転送中の移動局数が前記既存基地局に逆方向転送中の移動局数より多ければ、前記制御局はハンドオーバ制御命令を前記移動局及び前記目標基地局に各々転送する。また、前記リンク品質と前記移動局数とも同時に判断する根拠で使用することができる。
【００６４】
前記段階４６１の判断結果、前記目標基地局にタイミング調整及び再設定を行う場合、制御局から第１ハードハンドオーバメッセージを受信して前記第１ハードハンドオーバメッセージを利用してタイミング調整及び再設定を遂行する（段階４６３）。また、前記制御局は第２ハードハンドオーバメッセージを前記既存基地局に転送し、前記既存基地局により前記第２ハードハンドオーバメッセージを基にタイミング調整及び再設定を遂行する（段階４６５）。したがって、  前記段階４６３及び前記段階４６５により、前記移動局の転送信号は前記既存基地局における受信タイミングで同期がなされることでなく、前記目標基地局で同期がなされる。これにより、前記既存基地局はＮＯＮ−ＵＳＴＳモードに転換され、前記目標基地局はＵＳＴＳモードに転換される。
【００６５】
上記の通り、逆方向同期タイミングのハードハンドオーバにより、非同期で転送された前記移動局の転送信号を受信する前記目標基地局で、受信信号間に干渉が除去されて基地局の受信性能を改善させることができる。
【００６６】
一方、前記移動局は前記既存基地局のパイロットの強さを随時測定し（段階４６７）、前記既存基地局のパイロットの強さが充分であるかを判断する（段階  ４６９）。判断結果によって前記移動局はパイロットの強さの測定メッセージを前記制御局に転送する。これにより、前記移動局は前記制御局から第２ハンドオーバメッセージを受信する（段階４７１）。前記移動局は受信された前記第２ハンドオーバメッセージを基に、前記既存基地局を実際通話目録で削除し、ハンドオーバ終了メッセージを前記制御局に転送する（段階４７３）。
【００６７】
本発明を明確にするために簡略に要約すれば、本発明は前記移動局が前記既存基地局のセル領域から前記目標基地局のセル領域に移動する場合、前記既存  基地局及び前記目標基地局に対して測定されたパイロットの強さを基に、前記目標基地局に新しい無線リンクを設定するかどうかを判断して前記目標基地局にソフトハンドオーバする。リンク品質または移動局数を基に前記移動局の転送信号を前記目標基地局の同期タイミングとするかどうかを判断し、前記目標基地局の同期タイミングとする場合、前記移動局と前記目標基地局にハードハンドオーバメッセージを転送して、前記目標基地局に同期がなされるようにすることができる。
【００６８】
図７は本発明の好適実施例による少なくとも２個以上の基地局を制御する制御局でソフトハンドオーバがなされる場合、移動局信号タイミングを制御するために各装置のプロトコル間のデータのフローを示すフローチャートである。図７を参照すれば、前記データのフローは移動局３３７、第１基地局（以下、既存基地局という）３３５、第２基地局（以下、目標基地局という）３３３及びサービング制御局（以下、制御局という）３３１からなる移動通信システムにおいて、ＵＳＴＳを利用したハンドオーバがなされる場合、各装置間に制御命令が伝えられる手順を説明するためのものである。
【００６９】
前記データのフローは前記目標基地局３３３に無線リンクを設定するソフトハンドオーバ手順（段階５０１）、同期モードを転換するハードハンドオーバ手順及び前記既存基地局３３５の無線リンクを解除するソフトハンドオーバ手順（段階５３９）からなることができる。
【００７０】
前記目標基地局３３３に無線リンクを設定するソフトハンドオーバ手順（段階５０１）を説明すれば、前記制御局３３１は前記移動局３３７がハンドオーバ領域に移動する場合、すなわち前記既存基地局３３５のセル領域から前記目標基地局３３３のセル領域に進入する場合、図５の前記段階４２０によりソフトハンドオーバがなされて前記目標基地局３３３の無線リンクが設定される（段階５０２）。ここで、前記無線リンクの設定は前記制御局３３１が無線リンク設定を前記目標基地局３３３で要求し、前記目標基地局３３３から前記要求に応じる無線リンク設定成功に対する応答を受信後、前記移動局３３７に活性集合更新を要求し、前記移動局３３７により前記目標基地局３３３を活性集合に追加したという応答を受信する。
【００７１】
これから同期モードを転換するハードハンドオーバ手順を説明する。前記目標基地局３３３の無線リンクが追加された後、前記制御局３３１はモード転換手順を開始するかを決定する（段階５０３）。ここで、前記モード転換手順は、前記移動局３３７の転送信号を同期式または非同期式に転換するもので、前記既存基地局３３５または前記目標基地局３３３の同期モードを変更するものである。例えば、同期式の場合に基地局はＵＳＴＳモードで設定され、非同期式の場合に基地局はＮＯＮ−ＵＳＴＳモードで設定される。
【００７２】
モード転換手順を開始する場合、前記ハードハンドオーバ手順は、測定手順（段階５００）、各基地局のモード転換手順（段階５１０）、無線リンク活性化手順（段階５２０）及び同期再設定手順（段階５３０）からなることができる。
【００７３】
まず、前記測定手順（段階５００）を説明すれば、前記制御局３３１は両リンクの移動局信号の品質を測定及び比較しながら前記目標基地局３３３の同期タイミングでハードハンドオーバするかを決定し、専用測定（Ｄｅｄｉｃａｔｅｄ  Ｍｅａｓｕｒｅｍｅｎｔ）手順を通じて前記目標基地局３３３との同期タイミングを獲得する。したがって、前記制御局３３１は制御局間プロトコルのＮＢＡＰを利用して専用測定開始要求（ＤＥＤＩＣＡＴＥＤ  ＭＥＡＳＵＲＥＭＥＮＴ  ＩＮＩＴＩＡＴＩＯＮ  ＲＥＱＵＥＳＴ）メッセージを前記目標基地局３３３に転送する（段階５０５）。ここで、前記専用測定開始要求メッセージは専用測定タイプ（Ｄｅｄｉｃａｔｅｄ  Ｍｅａｓｕｒｅｍｅｎｔ  Ｔｙｐｅ）と報告特性要素が含まれるが、前記専用測定タイプはＲＴＴ（Ｒｏｕｎｄ  Ｔｒｉｐ  Ｔｉｍｅ）パラメーターであり、前記報告特性（Ｒｅｐｏｒｔ  Ｃｈａｒａｃｔｅｒｉｓｔｉｃｓ）要素はオンディマンド（Ｏｎ  Ｄｅｍａｎｄ  ）パラメーターである。前記オンディマンドは測定報告を受ける基地局がすぐ測定行して報告するというパラメーターであり、前記ＲＴＴは基地局から移動局に順方向ＤＰＣＨ（Ｄｅｄｉｃａｔｅｄ  Ｐｈｙｓｉｃａｌ  ＣＨａｎｎｅｌ）フレームを転送し、前記移動局から逆方向ＤＰＣＨフレームを受信するまでの時間を示すパラメーターである。ここで、前記ＲＴＴパラメーターによる測定値は後ほどＵＳＴＳを使用する場合に逆方向リンクの同期を合せるためのものである。
【００７４】
前記目標基地局３３３は前記専用測定開始要求メッセージに含まれるパラメーターによりＲＴＴ測定を行った後、測定結果をＮＢＡＰプロトコルを利用して前記制御局３３１に転送する（段階５０７）。
【００７５】
次に、各基地局のモード転換手順（段階５１０）を説明すれば、前記モード転換手順は、前記制御局３３が前記段階５００の測定手順を通じて測定したタイミング情報を利用して新しいタイミングとコードで前記目標基地局３３３と前記移動局３３７との間の無線リンクをＵＳＴＳモードで再設定し、続いて前記既存基地局３３５と前記移動局３３７の無線リンクはＮＯＮ−ＵＳＴＳモードで再設定するものである。
【００７６】
ここで、ＵＳＴＳが導入されたシステムの場合、動作モードはＵＳＴＳを支援しない基地局と移動局で使われる方式である定常モード（Ｎｏｒｍａｌ  ｍｏｄｅ）と、ＵＳＴＳを支援してＵＳＴＳ方式により転送タイミングが制御されるモードであるＵＳＴＳモードと、ＵＳＴＳを支援するが、ＵＳＴＳ方式により転送タイミングを制御しないモードであるＮＯＮ−ＵＳＴＳモードとに区分されることができる。したがって、本発明はＵＳＴＳを支援する基地局と移動局で使われるので、ＵＳＴＳモードとＮＯＮ−ＵＳＴＳモードに対してモード変換を行うことができる。すなわち、少なくとも一つの移動局が少なくとも２つ以上の基地局のセル領域にかけるソフトハンドオーバ領域にあり、前記少なくとも２つ以上の基地局ともＵＳＴＳ方式を支援する場合、一つの基地局はＵＳＴＳモードで動作され、もう一つの基地局はＮＯＮ−ＵＳＴＳモードで動作することになる。これは一つの移動局が二つの基地局と同時にＵＳＴＳモードで作動できず、一つの基地局で逆方向同期式転送タイミングを合せなければならないためである。したがって、前記ＵＳＴＳモードでは移動局と基地局間ＵＳＴＳを使用して通信でき、前記ＮＯＮ−ＵＳＴＳモードでは移動局と基地局間ＵＳＴＳを使用するが、逆方向同期を合せることができなくなる。
【００７７】
まず、前記制御局３３１はＮＢＡＰプロトコルを利用して無線リンク再設定準備（ＲＡＤＩＯ  ＬＩＮＫ  ＲＥＣＯＮＦＩＧＵＲＡＴＩＯＮ  ＰＲＥＰＡＲＥ）メッセージを前記目標基地局３３３に転送する（段階５１１）。ここで、前記無線リンク再設定準備メッセージはＵＳＴＳ  識別子（ＵＳＴＳ  Ｉｎｄｉｃａｔｏｒ）、ＵＳＴＳスクランブルコード（ＵＳＴＳ  Ｓｃｒａｍｂｌｉｎｇ  Ｃｏｄｅ）及びＵＳＴＳチャンネル化コード番号（ＵＳＴＳ  Ｃｈａｎｎｅｌｉｚａｔｉｏｎ  Ｃｏｄｅ  Ｎｕｍｂｅｒ）を含むことができる。
【００７８】
前記目標基地局３３３は前記無線リンク再設定準備メッセージを基に無線リンクを再設定し、成功的に無線リンク再設定が終了した場合、ＮＢＡＰプロトコルを利用して無線リンク再設定完了（ＲＡＤＩＯ  ＬＩＮＫ  ＲＥＣＯＮＦＩＧＵＲＡＴＩＯＮ  ＲＥＡＤＹ）メッセージを前記制御局３３１に転送する（段階５１３）。ここで、前記無線リンク再設定完了メッセージはＵＳＴＳ識別子を含むことができる。このとき、前記目標基地局３３３の無線リンクの同期モードはＵＳＴＳモードが選択される。
【００７９】
そして、前記制御局３３１はＮＢＡＰプロトコルを利用して無線リンク再設定準備メッセージを前記既存基地局３３５に転送する（段階５１５）。ここで、前記無線リンク再設定準備メッセージはＵＳＴＳ識別子、ＵＳＴＳスクランブルコード及びＵＳＴＳチャンネル化コード番号を含むことができる。すると、前記既存基地局３３５は前記無線リンク再設定準備メッセージを基に無線リンクを再設定した後、前記無線リンクの再設定が成功的に完了する場合、ＮＢＡＰプロトコルを利用して無線リンク再設定完了メッセージを前記制御局３３１に転送する（段階５１７）。既に前記既存基地局３３５はＵＳＴＳモードで前記移動局と通信していた。前記無線リンク再設定命令により既存のＵＳＴＳモードはＮＯＮ−ＵＳＴＳモードに転換される。
【００８０】
次に、無線リンク活性化手順（段階５２０）を説明する。前記制御局３３１はＮＢＡＰプロトコルを利用して無線リンク再設定コミット（Ｒａｄｉｏ  Ｌｉｎｋ  Ｒｅｃｏｎｆｉｇｕｒａｔｉｏｎ  Ｃｏｍｍｉｔ）メッセージを前記目標基地局３３３に転送し、前記目標基地局３３３は前記無線リンク再設定コミットメッセージを基にＵＳＴＳモードの無線リンクを活性化させる（段階５２３）。また、前記制御局３３１はＮＢＡＰプロトコルを利用して無線リンク再設定コミットメッセージを前記既存基地局３３５に転送し、前記既存基地局３３５は前記無線リンク再設定コミットメッセージを基にＮＯＮ−ＵＳＴＳモードの無線リンクを活性化させる（段階５２５）。
【００８１】
各基地局の無線リンクが活性化されると、続いて同期再設定手順（段階５３０）が遂行される。
【００８２】
前記制御局３３１はＲＲＣプロトコルを利用して物理的チャンネル再設定（Ｐｈｙｓｉｃａｌ  Ｃｈａｎｎｅｌ  Ｒｅｃｏｎｆｉｇｕｒａｔｉｏｎ）メッセージを前記移動局３３７に転送すれば（段階５３３）、前記移動局３３７は前記物理的チャンネル再設定メッセージを物理的チャンネルに伝達してモード変更及びタイミング調整（Ａｃｔｕａｌｉｚｉｎｇ  Ｍｏｄｉｆｉｃａｔｉｏｎ）を遂行する（段階５３５）。ここで、前記物理的チャンネル再設定メッセージはスクランブルコード、チャンネル化コード番号及びタイミング調整値などを含むことができる。物理的チャンネルの設定が完了すれば、前記移動局３３７はＲＲＣプロトコルを利用して物理的チャンネル再設定完了（Ｐｈｙｓｉｃａｌ  Ｃｈａｎｎｅｌ  Ｒｅｃｏｎｆｉｇｕｒａｔｉｏｎ  Ｃｏｍｐｌｅｔｅ）メッセージを前記制御局３３１に転送する（段階５３７）。したがって、前記段階５３５により前記目標基地局３３３にＵＳＴＳ同期を応じる無線リンクで既存リンクを再設定できる。
【００８３】
次に、前記移動局３３７がハンドオーバ領域から外れれば、前記既存基地局３３５に対する無線リンクを解除する無線リンク解除手順を行う（段階５３９）。前記段階５３９は図５の前記段階４３３と同様なので、その説明は省略する。
【００８４】
図８は本発明の好適実施例による少なくとも２個以上の基地局を制御する制御局が互いに異なる時にソフトハンドオーバがなされる場合、移動局信号タイミングを制御するために各装置の物理的階層間のデータのフローを示すフローチャートである。図８を参照すれば、前記データのフローは移動局３４９、第１基地局（ＳＲＮＳ  基地局、以下、既存基地局という）３４５、第２基地局（ＤＲＮＳ基地局、以下、目標基地局という）３４７、目的地制御局（ＤＲＮＣ）３４３及びサービング制御局（ＳＲＮＣ）３４１からなる移動通信システムにおいて、ＵＳＴＳを利用したハンドオーバがなされる場合、各装置間に制御命令が伝えられる手順を説明するためのものである。
【００８５】
前記データのフローは目標基地局に無線リンクを設定するソフトハンドオーバ手順、同期モードを転換するハードハンドオーバ手順及び既存基地局の無線リンクを解除するソフトハンドオーバ手順からなり、これは図７と同様であることが分かる。ただし、図８のデータのフローは前記サービング制御局３４１と異なった前記目的地制御局３４３が存在して細部的な手順において差が発生することになる。
【００８６】
以下、本発明の重複性を避けるために、図７と重複する目標基地局に無線リンクを設定するソフトハンドオーバ手順（段階５４０）及び既存基地局の無線リンクを解除するソフトハンドオーバ手順段階（段階５９９）は省略する。
【００８７】
前記同期モードを転換するハードハンドオーバ手順は測定手順（段階５５０）、各基地局のモード転換手順（段階５６０）、無線リンク活性化手順（段階５８０）及び同期再設定手順（段階５９０）からなることができる。
【００８８】
まず、測定手順（段階５５０）をみれば、前記サービング制御局３４１は前記目標基地局３４７の同期タイミングを獲得するために、ＲＮＳＡＰプロトコルを利用して専用測定開始要求（ＤＥＤＩＣＡＴＥＤ  ＭＥＡＳＵＲＥＭＥＮＴ  ＩＮＩＴＩＡＴＩＯＮ  ＲＥＱＵＥＳＴ）メッセージを前記目的地制御局３４３に転送する（段階５５３）。前記専用測定開始要求メッセージは専用測定タイプと報告特性要素を含むが、前記専用測定タイプはＲＴＴパラメーターで設定され、前記報告特性要素はオンディマンドパラメーターで設定される。
【００８９】
前記目的地制御局３４３はＮＢＡＰプロトコルを利用して前記専用測定開始要求メッセージを前記目標基地局３４７に転送し（段階５５５）、前記目標基地局３４７は前記専用測定開始要求メッセージに含まれるＲＴＴパラメーターにより測定し、測定結果をＮＢＡＰプロトコルを利用して前記目的地制御局３４３に転送する（段階５５７）。前記目的地制御局３４３はＲＮＳＡＰプロトコルを利用して前記測定結果を前記サービング制御局３４１に転送する（段階５５９）。
【００９０】
次に、各基地局のモード転換手順５６０を説明すれば、前記サービング制御局３４１はＲＮＳＡＰプロトコルを利用して無線リンク再設定準備メッセージを前記目的地制御局３４３に転送する（段階５６３）。ここで、前記無線リンク再設定準備メッセージはＵＳＴＳ識別子を含むことができる。前記目的地制御局３４３はＮＢＡＰプロトコルを利用して無線リンク再設定準備メッセージを前記目標基地局３４７に転送する（段階５６５）。ここで、前記無線リンク再設定準備メッセージはＵＳＴＳ識別子、ＵＳＴＳスクランブルコード、ＵＳＴＳチャンネル化コード番号などを含むことができる。
【００９１】
前記目標基地局３４７は前記無線リンク再設定準備メッセージを基に無線リンクを再設定し、成功的に無線リンク再設定が終了する場合、ＮＢＡＰプロトコルを利用して無線リンク再設定完了メッセージを前記目的地制御局３４３に転送する（段階５６７）。ここで、前記無線リンク再設定完了メッセージはＵＳＴＳ識別子が含まれることができる。前記段階５６７で前記目標基地局３４７はＵＳＴＳモードの無線リンクで設定されることができる。前記目的地制御局３４３はＲＮＳＡＰプロトコルを利用して無線リンク再設定完了メッセージを前記サービング制御局３４１に転送する（段階５６９）。この時、前記無線リンク再設定完了メッセージはＴｒｅｆ、ＵＳＴＳ識別子、ＵＳＴＳスクランブルコード、ＵＳＴＳチャンネル化コード番号、ＵＳＴＳスクランブルコードオフセットなどを含むことができる。ここで、Ｔｒｅｆは目標基地局とサービング制御局間のタイミング基準になる時間を意味する。
【００９２】
一方、前記サービング制御局３４１はＮＢＡＰプロトコルを利用して無線リンク再設定準備メッセージを前記既存基地局３４５に転送すれば（段階５７１）、前記既存基地局３４５は前記無線リンク再設定メッセージを基に既存のＵＳＴＳモードをＮＯＮ−ＵＳＴＳモードに転換する。ここで、前記無線リンク再設定メッセージはＴｒｅｆ、ＵＳＴＳ識別子、ＵＳＴＳスクランブルコード、ＵＳＴチャンネル化コード番号などを含むことができる。
【００９３】
前記既存基地局のモード転換が完了すれば、前記既存基地局３４５はＮＢＡＰプロトコルを利用して無線リンク再設定完了メッセージを前記サービング制御局３４１に転送する（段階５７３）。ここで、前記無線リンク再設定完了メッセージはＵＳＴＳ識別子を含むことができる。
【００９４】
次に、無線リンク活性化手順５８０を説明すれば、前記サービング制御局３４１はＲＮＳＡＰプロトコルを利用して無線リンク再設定コミットメッセージを前記目的地制御局３４３に転送すれば（段階５８３）、前記無線リンク再設定メッセージはまたＮＢＡＰプロトコルを利用して前記目標基地局３４７に転送される（段階５８５）。すると、前記目標基地局３４７は前記無線リンク再設定コミットメッセージを基にＵＳＴＳモードの無線リンクを活性化させる。また、前記サービング制御局３４１はＮＢＡＰプロトコルを利用して無線リンク再設定コミットメッセージを前記基準基地局３４５に転送すれば（段階５８７）、前記既存基地局３４５は前記無線リンク再設定コミットメッセージによりＮＯＮ−ＵＳＴＳモード無線リンクを活性化させる。
【００９５】
前記段階５８３及び前記段階５８５で各基地局の無線リンクが活性化されると、前記サービング制御局３４１はＲＲＣプロトコルを利用して物理的チャンネル再設定メッセージを前記移動局３４９に転送すれば、前記移動局３４９は目標基地局にＵＳＴＳ同期の無線リンクに既存リンクを再設定する（段階５９３）。すなわち、前記移動局３４９は前記物理的チャンネル再設定メッセージに含まれるスクランブルコード、チャンネル化コード番号、正確な転送タイミング調整値などを物理階層に伝達してモード変更及びタイミング調整を遂行する（段階５９５）。
【００９６】
前記モード変更及びタイミング調整が完了すれば、前記移動局３４９はＲＲＣプロトコルを利用して物理的チャンネル再設定完了メッセージを前記サービング制御局３４１に転送する（段階５９７）。
【００９７】
以後、前記移動局３４９がハンドオーバ領域から外れれば、前記既存基地局３４５に対する無線リンクを解除する無線リンク解除手順を遂行するが（段階５９９）、より詳しくは図５を参照できる。
【００９８】
前記の通り、本発明は移動局がハンドオーバ領域に進入した時、既存基地局と目標基地局から測定されたパイロットの強さを基に新しい無線リンクを追加するソフトハンドオーバを遂行し、続いて前記既存基地局と前記目標基地局のそれぞれの無線リンクのモードを転換するハードハンドオーバを遂行した後、既存基地局の無線リンクを解除する過程を通じて逆方向リンク同期式転送方式でソフトハンドオーバがなされる。
【００９９】
また、本発明はハンドオーバがなされる場合、逆方向リンク同期式転送方式（ＵＳＴＳ）のモードを転換するハードハンドオーバが遂行される時、各装置の物理的階層間の具体的なデータのフローを提供できる。
【０１００】
本発明は既存の移動通信システムをそのまま利用しながらＵＳＴＳを採択して、ハンドオーバ制御を行うための方法を提供する。
【０１０１】
本発明は、制御局の制御を受ける第１基地局及び第２基地局が、一つの移動局と同時に同じ信号源のトラフィックデータを送受信する移動通信システムにおいて、逆方向同期式転送に関する情報を前記第１基地局及び前記第２基地局に転送する段階；前記逆方向同期式転送に関する情報を基に無線リンクを再設定する段階；及び、前記再設定の無線リンクを基に、何れかの基地局を基準にして制御される逆方向リンク同期タイミングを他の基地局の逆方向リンク同期タイミングで調整する段階；を含むことを特徴とする。
【０１０２】
【発明の効果】
上述した通り、本発明によるハンドオーバ制御方法によれば、ソフトハンドオーバとハードハンドオーバを結合した方式にてハンドオーバを遂行して、既存の移動通信システムに別途の追加なしにそのまま適用できる。
【０１０３】
本発明によるハンドオーバ制御方法によれば、逆方向同期式転送方式を利用して移動局の信号転送タイミング制御のために別途に追加される複雑な要素がなくて、ハードハンドオーバする同期タイミングを制御パリメートルで制御できる。
【０１０４】
本発明によるハンドオーバ制御方法によれば、逆方向リンク同期式転送方式でハードハンドオーバがなされて、性能や受容容量や占有領域が増加できる。
【０１０５】
本発明によるハンドオーバ制御方法によれば、各装置間の物理的階層間のデータのフローを定義することで、移動局のハンドオーバをより效率的に行うことができる。
【図面の簡単な説明】
【図１】従来の逆方向リンクにおける２個の基地局間のハンドオーバを説明するための移動通信システムの概略構成図である。
【図２】従来の少なくとも２個以上の基地局を制御する制御局でソフトハンドオーバがなされる場合の移動通信システムの構成図である。
【図３】従来の少なくとも２個以上の基地局を制御する制御局が互いに異なる時にソフトハンドオーバがなされる場合の移動通信システムの構成図である。
【図４】従来のソフトハンドオーバがなされる場合、ハンドオーバ制御方法を説明するための順序図である。
【図５】従来のソフトハンドオーバがなされる場合、各装置のプロトコル間のデータのフローを示すフローチャートである。
【図６】本発明の好適実施例によるソフトハンドオーバがなされる場合、移動局信号タイミングを制御する方法を説明するための順序図である。
【図７】本発明の好適実施例による少なくとも２個以上の基地局を制御する制御局でソフトハンドオーバがなされる場合、移動局信号タイミングを制御するために各装置のプロトコル間のデータのフローを示すフローチャートである。
【図８】本発明の好適実施例による少なくとも２個以上の基地局を制御する制御局が互いに異なる時にソフトハンドオーバがなされる場合、移動局信号タイミングを制御するために各装置の物理的階層間のデータのフローを示すフローチャートである。
【符号の説明】
１０１ａ  選択器
１０３  既存セル
１０４  目標セル
２０１、３００  コアネットワーク
３２９、３３７、３４９  移動局
３２７、３４７  ＤＲＮＳ−基地局
３２５、３４５  ＳＲＮＳ−基地局
３３１  制御局
３３３  第２基地局（目標基地局）
３３５  第１基地局（既存基地局）
【図１】
0004027071.tif 000002
【図２】
0004027071.tif 000003
【図３】
0004027071.tif 000004
【図４】
0004027071.tif 000005
【図５】
0004027071.tif 000006
【図６】
0004027071.tif 000007
【図７】
0004027071.tif 000008
【図８】
0004027071.tif 000009